(57)【要約】      （修正有）【課題】ライトトンネルを固定している接着剤が劣化し、締結力を失っても、ライトトンネルの分解を防ぎ、かつ保持することのできるライトトンネル保持機構を提供する。【解決手段】台座２に載置され、４枚の反射板が組み合わされて端面が矩形の入射面および出射面とされるライトトンネル１の保持機構であって、ライトトンネルの端部が挿通する孔を備えた枠と孔の２点を結ぶ線状部材とを備えた固定部材３を、線状部材がライトトンネルの端面に接触して撓むようにライトトンネルの端部を挿通した状態で台座に取り付けることにより、ライトトンネルの少なくとも一方の端面を他方の端面に向けて付勢し、かつ、４枚の反射板のそれぞれを隣接する反射板に接触する方向に付勢しながら衝止する。【選択図】図１
2017139152.tif 000002
【特許請求の範囲】
【請求項１】
台座に載置され、４枚の反射板が組み合わされて端面が矩形の入射面および出射面とされるライトトンネルの保持機構であって、
前記ライトトンネルの端部が挿通する孔を備えた枠と前記孔の２点を結ぶ線状部材とを備えた固定部材を、前記線状部材が前記ライトトンネルの端面に接触して撓むように前記ライトトンネルの端部を挿通した状態で前記台座に取り付けることにより、前記ライトトンネルの少なくとも一方の端面を他方の端面に向けて付勢し、かつ、前記４枚の反射板のそれぞれを隣接する反射板に接触する方向に付勢しながら衝止する、ライトトンネルの保持機構。
【請求項２】
請求項１記載のライトトンネルの保持機構において、
前記ライトトンネルは四角錐台形状とされ、前記固定部材は前記ライトトンネルの面積の大きな端面にのみ設けられ、前記ライトトンネルの面積の小さな端面の近傍部分は前記台座に形成された開口により衝止される、ライトトンネルの保持機構。
【請求項３】
請求項１記載のライトトンネルの保持機構において、
前記固定部材は前記ライトトンネルの両方の端面に設けられる、ライトトンネルの保持機構。
【請求項４】
請求項１ないし請求項３のいずれかに記載のライトトンネルの保持機構において、
前記孔は矩形であり、
前記線状部材は前記孔の隣接する２辺の中点を結ぶように設けられている、ライトトンネルの保持機構。
【請求項５】
請求項１ないし請求項３のいずれかに記載のライトトンネルの保持機構において、
前記孔は矩形であり、
前記線状部材は前記孔の対向する２辺を結ぶように設けられている、ライトトンネルの保持機構。
【発明の詳細な説明】
【技術分野】
【０００１】
本発明は、ライトトンネルを保持するライトトンネル保持機構に関する。
【背景技術】
【０００２】
プロジェクタでは、光源からの光を均一化するための導光部材として、特許文献１（特開２００９−８６４３５号公報）に開示されるようなライトトンネルが用いられている。
【０００３】
ライトトンネルは、複数の平板状部材を内部が中空となるように組み合わせたもので、内壁面には反射膜が形成されていて、内部を通る光を複数回反射させることにより均一な光とするものである。
【先行技術文献】
【特許文献】
【０００４】
【特許文献１】特開２００９−８６４３５号公報
【発明の概要】
【発明が解決しようとする課題】
【０００５】
ライトトンネルは複数の平板状部材の組立体であるため、平板状部材をなんらかの手段により固定することが必要となる。一般に用いられるのは接着剤による固定であるが、光源からの光がすべて入射されるライトトンネルの用途上、高温になる、ヒートサイクルが発生する、強い光が当たる、等の現象が生じるため、接着剤が劣化してしまい締結を維持できなくなり、ライトトンネルが分解することがあった。
【０００６】
ライトトンネルの分解を回避する方法として、板金等の保護部材で囲う方法もあるが、この場合、構成部品の点数が増える、形状が複雑になるなどで作業性が悪くなり、かつ、高温になるライトトンネルを直接冷却できなくなるため、反射膜が破損してしまう。
【０００７】
本発明は、ライトトンネルを固定している接着剤が劣化し、締結力を失っても、ライトトンネルの分解を防ぎ、かつ保持するライトトンネルの保持機構を実現するものである。
【課題を解決するための手段】
【０００８】
本発明によるライトトンネルの保持機構は、台座に載置され、４枚の反射板が組み合わされて端面が矩形の入射面および出射面とされるライトトンネルの保持機構であって、
前記ライトトンネルの端部が挿通する孔を備えた枠と前記孔の２点を結ぶ線状部材とを備えた固定部材を、前記線状部材が前記ライトトンネルの端面に接触して撓むように前記ライトトンネルの端部を挿通した状態で前記台座に取り付けることにより、前記ライトトンネルの少なくとも一方の端面を他方の端面に向けて付勢し、かつ、前記４枚の反射板のそれぞれを隣接する反射板に接触する方向に付勢しながら衝止する。
【発明の効果】
【０００９】
ライトトンネルを固定している接着剤が劣化し、締結力を失っても、ライトトンネルの分解を防ぎ、かつ保持することができる。
【図面の簡単な説明】
【００１０】
【図１】本発明によるライトトンネル保持機構の第１の実施形態の構成を示す斜視図である。
【図２】固定部材３の構成を示す斜視図である。
【図３】台座２に固定されたライトトンネル１の出射側の配置状態を示す断面図である。
【図４】線状部材３−１によって固定されるライトトンネル１の端部を示したものである。
【図５】本発明によるライトトンネル保持機構の第２の実施形態の構成を示す斜視図である。
【図６】本発明によるライトトンネル保持機構の第３の実施形態の構成を示す斜視図である。
【発明を実施するための形態】
【００１１】
次に、本発明の実施形態について図面を参照して説明する。
【００１２】
第１の実施形態
図１は、本発明によるライトトンネル保持機構の第１の実施形態の構成を示す斜視図である。
【００１３】
図１に示されるライトトンネル１は、ライトトンネル１を保持する台座２と、台座２に取り付けることでライトトンネル１を固定する固定部材３からなる。ライトトンネル１は片面に反射膜が形成された平板状の反射板４枚を、反射膜が形成された面が内壁面となるように接着剤を用いて組み合わせたものである。
【００１４】
ライトトンネル１は、出射面の面積が、図１に開口が示されている入射面の面積よりも小さくなる四角錐台形状に形成されている。この時、出射面および入射面の中心は光軸中心線上にあり、二つの面は平行である。
【００１５】
台座２には、ライトトンネル１の出射側部分を衝止する開口４と、ライトトンネル１を担持する保持部５が設けられている。
【００１６】
図２は固定部材３の構成を示す斜視図である。固定部材３はライトトンネル１に直接接し、保持するための線状部材３−１と、線状部材３−１が固定される枠３−２から構成される。
【００１７】
枠３−２は、内部に四角い孔が形成された四角い枠状のもので、四角い孔にはライトトンネル１の出射面側の端部が挿通される。
【００１８】
線状部材３−１は４本使用され、それぞれは、枠３−２の四角い孔の隣接する２辺の中点を結ぶように枠３−２に取り付けられている。
【００１９】
線状部材３−１は、ピアノ線やバネ材など靭性と延性を備えるものを材料とする。その太さはライトトンネル１を保持する強度を失わない程度の太さであることが望ましい。太さの目安としては、保持するライトトンネル１を形成する反射板の厚みの１／２以下である。なお、必要な条件を満たすのであれば材料を金属に限るものではない。
【００２０】
枠３−２は、線状部材３−１が固定され、台座２に取り付けるための部品である。そのため相応の強度が必要になるので鉄やステンレス材で作製される。線状部材３−１と枠３−２は溶接などで強固に固定される。
【００２１】
図３は、台座２に固定されたライトトンネル１の出射側の配置状態を示す断面図である。
【００２２】
台座２の開口部４（図１参照）にライトトンネル１の出射面近傍部分が衝止されるように設置される。このとき、ライトトンネル１の出射面が台座２の開口から突出する長さは、ライトトンネル１の出射面近傍部分と開口４の端部が接する出射側固定位置の寸法により決定される。この寸法は、ライトトンネル１の突出長さが設計された所定の長さとなるように決定されている。
【００２３】
次に、固定部材３を４本の線状部材３−１がライトトンネル１の入射端の四隅にかかるようにしながら台座２に取り付ける。台座への取り付けは、ねじ（不図示）を用いて行われているが、この他に嵌合構造を用いることもでき、特に限定されるものではない。
【００２４】
固定部材３は、線状部材３−１を使ってライトトンネル１に光軸方向出射側に力を加えるものであるため、固定部材３の台座２への取付け位置は、ライトトンネル１の入射面よりライトトンネル１の出射側とする。
【００２５】
なお、入射面に入射する光束は、光軸を中心に円、または楕円形の集束光なので、仮に線状部材３−１が入射面角部にかかったとしても主光束を遮ることはないので、画像や明るさに影響は与えない。
【００２６】
図４は、線状部材３−１によって固定されるライトトンネル１の端部を示したものである。図４では、ライトトンネル１を形成する隣接する２枚の反射板ａ，ｂが線状部材３−１、枠３−２とともに示されている。
【００２７】
固定部材３の台座２への取り付け位置がライトトンネル１の入射面よりもライトトンネル１の出射面側であるため、線状部材３−１は撓んだ状態となり、図４に示すようにライトトンネル１の入射面に対して角度を持って取り付けられることになる。線状部材３−１は２枚の反射板ａ、ｂの接触端の２点を以てライトトンネル１と接しているため、線状部材３−１による復元力はライトトンネル１を光軸方向に押す方向だけでなく、接触端の２点を近づける方向に押す方向にも発生する。このため、反射板ａ，ｂは常に接触する方向に付勢されることになる。そのため、仮に反射板同士を固定する接着剤が劣化しても反射板が分解することがなくなる。また、入射面に接する線状部材３−２は、ライトトンネル１を光軸方向出射側に付勢するので、ライトトンネル１の位置を保持することも可能になる。
【００２８】
ライトトンネル１に接するのは台座２の開口４、保持部５と固定部材３の線状部材３−２のみであり、ライトトンネル１の表面の大部分は開放されているので、冷却が妨げられることはない。また、固定に必要な部材は台座２と固定部材３のみなので構造を簡単に構成することができる。
【００２９】
第２の実施形態
図５は、本発明によるライトトンネル保持機構の第２の実施形態の構成を示す斜視図である。
【００３０】
本実施形態は、ライトトンネル１を台座２に固定するのに、ライトトンネル１の出射側と入射側のそれぞれに固定部材３を用いたものである。本実施形態の場合、入射面に接する線状部材３−２は、ライトトンネル１を光軸方向出射側に付勢し、出射面に接する線状部材３−２は、ライトトンネル１を光軸方向入射側に付勢する。また、入射面に接する線状部材３−２、出射面に接する線状部材３−２のいずれもライトトンネル１を形成する反射板は、隣接する２枚が接触する方向に付勢されるため、第１の実施形態と同様の効果を奏するものとなる。また、本実施形態の場合には、ライトトンネル１の両端を抑える形態であるため、ライトトンネルの形状が図１に示したような四角錐台形状とする必要がなく、図５に示すような角柱形状とすることが可能となっている。
【００３１】
第３の実施形態
図６は、本発明によるライトトンネル保持機構の第３の実施形態の構成を示す斜視図である。
【００３２】
本実施形態は、線状部材３−１を、枠３−２の対向する２辺の間に平行に２本設けた固定部材３を使用するものである。線状部材３−１はライトトンネル１の入射面の開口を極力塞がない様に設けられている。この他の構成は図１に示した第１の実施形態と同様である。
【００３３】
本実施形態の場合、入射面に接する線状部材３−２は、実施形態１と同様にライトトンネル１を光軸方向出射側に付勢する。また、ライトトンネル１を形成する反射板については、対向する２枚の反射板に対してこれらを接触する方向に付勢することとなるが、これらの対向する２枚の反射板の間には、直交して設けられた対向する２枚の反射板が存在する。このため、入射面に接する線状部材３−２の反射板への付勢力は、間に介在する隣接して設けられた反射板への付勢力となり、第１の実施形態および第２の実施形態と同様の効果を奏するものとなる。
【００３４】
なお、本実施形態の固定部材を、第２の実施形態のようにライトトンネル１の出射側と入射側のそれぞれに用いることとしてもよい。
【符号の説明】
【００３５】
１    ライトトンネル
２    台座
３    固定部材
３−１    線状部材
３−２    枠
４    開口
５    保持部
【図１】
2017139152.tif 000003
【図２】
2017139152.tif 000004
【図３】
2017139152.tif 000005
【図４】
2017139152.tif 000006
【図５】
2017139152.tif 000007
【図６】
2017139152.tif 000008